【手続補正書】
【提出日】平成27年6月2日(2015.6.2)
【手続補正１】
【補正対象書類名】特許請求の範囲
【補正対象項目名】全文
【補正方法】変更
【補正の内容】
【特許請求の範囲】
【請求項１】
位相カット調光器によって調光されるのに適しているＬＥＤ光源であって、
ＡＣ供給電圧を供給する前記位相カット調光器の出力端子に結合する第１の入力端子及び第２の入力端子を備える整流器と、
Ｎ個のＬＥＤ負荷を含む直列配置であって、前記直列配置の第１及び第２の端は、前記整流器の第１の出力端子及び第２の出力端子にそれぞれ結合される、前記直列配置と、
各電流源が対応するＬＥＤ負荷のカソードと前記整流器の前記第２の出力端子との間に結合されるＮ個の電流源を含み、整流された前記ＡＣ供給電圧の一周期の間に、瞬間振幅が増加する場合、１つずつ、且つ、整流された前記ＡＣ供給電圧の前記瞬間振幅に依存して、前記直列配置に含まれる前記ＬＥＤ負荷に電流を続けて順次に伝導させ、また、前記瞬間振幅が減少する場合、１つずつ、且つ、整流された前記ＡＣ供給電圧の前記瞬間振幅に依存して、前記ＬＥＤ負荷に電流を伝導することを続けて停止させる制御手段であって、前記位相カット調光器の出力電圧が０と等しくなる場合に、前記ＬＥＤ負荷を流れる電流をゼロに制御し、前記位相カット調光器の前記出力電圧が０ボルトとは異なる場合に、前記ＬＥＤ負荷を流れる電流を、前記位相カット調光器の位相角とは無関係である値に制御する、前記制御手段と、
前記整流器の前記第１及び第２の出力端子間に結合されるスイッチ可能なブリーダー電流源と、
を含むＬＥＤ光源であって、
ラッチが、前記整流器の前記第１出力端子と前記第２の出力端子との間に結合され、前記ラッチは、前記位相カット調光器がリーディングエッジ位相カット調光器である場合に、前記位相カット調光器によって生成されたリーディングエッジの後に、前記位相カット調光器を流れる電流が０を交差しないように、抵抗及びコンデンサを含む直列配置を含み、
単向性素子が、前記コンデンサと直列に配置され、
クランプ回路が、前記コンデンサに結合され、前記クランプ回路は、前記コンデンサを放電するための電流源を含み、前記位相カット調光器がオフの場合に、前記位相カット調光器の電流のための低オーム経路を提供する、
ＬＥＤ光源。
【請求項２】
前記スイッチ可能なブリーダー電流源は、第１の直列配置と、前記整流器の出力端子間に結合され、前記第１の直列配置と並列の第２の直列配置とを含み、前記第１の直列配置は、第１の抵抗及び第１のトランジスタを含み、前記第２の直列配置は、第２の抵抗及び第２のトランジスタを含み、前記第１のトランジスタの制御電極は、前記第２のトランジスタ及び前記第２の抵抗間の端子に接続され、前記第２のトランジスタの制御電極は、前記第１のトランジスタ及び前記第１の抵抗間の端子に接続される、請求項１に記載のＬＥＤ光源。
【請求項３】
前記制御手段は、スイッチ可能な電流源を含むＮ個の制御ストリングであって、ＬＥＤ負荷のカソードを前記整流器の前記第２の出力端子に接続する前記Ｎ個の制御ストリングを含む、請求項１に記載のＬＥＤ光源。
【請求項４】
前記電流源のそれぞれは、第１の抵抗及び第１のスイッチ素子を含む第１の直列配置と、前記第１の直列配置と並列で、第２の抵抗及び第２のスイッチ素子を含む第２の直列配置とを含み、
前記第１のトランジスタの制御電極は、前記第２のトランジスタと前記第２の抵抗との間の端子に接続され、前記第２のトランジスタの制御電極は、前記第１のトランジスタと前記第１の抵抗との間の端子に接続され、
各電流源の第１の端は、ＬＥＤ負荷の前記カソードに結合され、ｎ番目の電流源の第２の端は、２＜ｎ＜Ｎについては、（ｎ−１）番目の電流源の前記第２のトランジスタと前記第２の抵抗との間の端子に結合され、ｎ＝１については、前記ブリーダー電流源の前記第２のトランジスタ及び前記第２の抵抗間の端子に結合される、請求項３に記載のＬＥＤ光源。
【請求項５】
Ｎ個のＬＥＤ負荷の直列配置を備えるＬＥＤ光源の調光動作方法であって、
周波数ｆを有するＡＣ供給電圧を提供するステップと、
調節可能な時間経過の間の各半周期において前記ＡＣ供給電圧を切断するステップと、
整流器によって、切断された前記ＡＣ供給電圧を整流し、切断され整流された前記ＡＣ供給電圧を、Ｎ個のＬＥＤ負荷を含む前記直列配置に供給するステップと、
切断され整流された前記ＡＣ供給電圧の一周期の間に、
瞬間振幅が増加する場合、１つずつ、整流された前記ＡＣ供給電圧の前記瞬間振幅に依存して、前記ＬＥＤ負荷に電流を続けて伝導させ、
前記瞬間振幅が減少する場合、１つずつ、前記ＡＣ供給電圧の前記瞬間振幅に依存して、前記ＬＥＤ負荷に電流を伝導することを続けて停止させ、
切断され整流された前記ＡＣ供給電圧の前記瞬間振幅が０である前記ＡＣ供給電圧の前記切断の間、前記ＬＥＤ負荷を非伝導状態に維持するステップと、
位相カット調光器の出力電圧が０ボルトとは異なる場合に、前記ＬＥＤ負荷を流れる電流を、前記位相カット調光器の位相角とは無関係である値に制御するステップと、
を含み、
前記整流器の第１の出力端子と第２の出力端子との間に結合されるスイッチ可能なブリーダー電流源を提供し、切断され整流された前記ＡＣ供給電圧の振幅が０ボルトより高く、前記ＬＥＤ負荷は電流を伝導していない場合に、前記位相カット調光器を流れる電流の流れを前記調節可能なブリーダー電流源を使用して維持するステップを含み、更に、
前記整流器の前記第１の出力端子と第２の出力端子との間に結合され、抵抗及びコンデンサの直列配置を含むラッチを提供するステップであって、前記位相カット調光器がリーディングエッジ位相カット調光器である場合に、前記ラッチを使用して、切断の終わりにおいて前記位相カット調光器によって生成されたリーディングエッジの後に、前記位相カット調光器を流れる電流が０を交差しないようにする、前記ラッチを提供するステップと、
前記コンデンサ及び前記抵抗と直列に配置され、前記ＬＥＤ負荷又は前記調節可能なブリーダー電流源を介する前記コンデンサの放電を阻止する単向性素子を提供するステップと、
前記コンデンサに結合され、電流源を含むクランプ回路を提供し、前記クランプ回路を使用して前記コンデンサを放電し、前記位相カット調光器がオフの場合に前記クランプ回路を使用して前記位相カット調光器の電流のための低オーム経路を提供する、前記クランプ回路を提供するステップと、
を含む、方法。
【請求項６】
位相カット調光器の出力端子への接続のための第１の入力端子及び第２の入力端子と、
前記第１の入力端子及び前記第２の入力端子に接続される整流器入力端子を備えるフルブリッジ整流器と、
を含む、位相カット調光器適合モジュールであって、
ラッチが、前記フルブリッジ整流器の出力端子間に結合され、前記ラッチは、前記位相カット調光器がリーディングエッジ調光器である場合に、リーディングエッジの後に前記位相カット調光器の電流が０を交差しないように、抵抗及びコンデンサを含む直列配置を含み、
単向性素子が、非調光可能なＬＥＤ光源のＬＥＤ負荷又は調節可能なブリーダー電流源を介する前記コンデンサの放電を阻止するために前記コンデンサに直列に配置され、
クランプ回路が、前記コンデンサに結合され、前記クランプ回路は、前記コンデンサを放電するための電流源を含み、前記位相カット調光器がオフの場合に、前記位相カット調光器の電流のための低オーム経路を提供し、
伝導性分岐が、前記フルブリッジ整流器の前記出力端子を接続する、
位相カット調光器適合モジュール。
【請求項７】
位相カット調光器に適合しない少なくとも１つのＬＥＤ光源と、
請求項６に記載される位相カット調光器適合モジュールと、
を含む、位相カット調光器によって調光されるのに適している照明システム。
【請求項８】
位相カット調光器に適合しない少なくとも１つのＬＥＤ光源と、
請求項１に記載されるＬＥＤ光源と、
を含む、位相カット調光器によって調光されるのに適している照明システム。
【請求項９】
請求項６に記載の位相カット調光器適合モジュールと、
位相カット調光器に適合しない１つ以上のＬＥＤ光源を、前記位相カット調光器適合モジュールと並列に接続する接続端子と、
を含む、照明器具。
【請求項１０】
請求項１に記載の位相カット調光器によって調光されるのに適しているＬＥＤ光源と、
位相カット調光器に適合しない１つ以上のＬＥＤ光源を、前記位相カット調光器適合モジュールと並列に接続する接続端子と、
を含む、照明器具。
【請求項１１】
動作時、入力電圧と入力電流との間に位相シフトがないように構成される、請求項１０に記載の照明器具。
【請求項１２】
前記制御手段は、スイッチ可能な電流源を含み、ＬＥＤ負荷のカソードを前記フルブリッジ整流器の前記第２の出力端子に接続するＮ個の制御ストリングを含む、請求項１０に記載の照明器具。
【請求項１３】
供給電圧源及び出力端子への接続のための入力端子を含む位相カット調光器と、
請求項６に記載の位相カット調光器適合モジュールと、
を含み、
前記位相カット調光器適合モジュールの前記第１及び第２の入力端子は、前記位相カット調光器の対応する出力端子に接続される、調光器。
【請求項１４】
位相カット調光器に適合しないＬＥＤ光源を調光するための位相カット調光器適合モジュール及び位相カット調光器の使用。